(57)【特許請求の範囲】
【請求項１】
希釈剤に粒状着色剤と着色剤用分散剤を含有する分散液からなり、該希釈剤の５０容量％以上が白油からなり、少なくとも１の分散剤が少なくとも３６の炭素原子をもつアルキル基又は少なくとも１の不飽和炭素−炭素結合をもつアルケニル基とα，β−ジカルボン酸イミド基をもつ少なくとも１の化合物からなり、且つ該少なくとも１の分散剤が着色剤の少なくとも２０重量％の量で存在し、そして該着色剤がＴｈｅ  Ｃｏｌｏｕｒ  Ｉｎｄｅｘ  に顔染料として挙げられている非カーボンブラック着色剤であることを特徴とする２５℃で１２ｍＰａｓ以下の粘度をもつインクジェットプリンターインク。
【請求項２】
該化合物がα，β−エチレン性不飽和ジカルボン酸イミドをオレフィンポリマー又はコポリマーにグラフトする工程をもつ方法でつくられる請求項１記載のインクジェットプリンターインク。
【請求項３】
該オレフィンポリマーがポリブタジエン、ポリイソブテン又はエチレン／プロピレンコポリマーである請求項２記載のインクジェットプリンターインク。
【請求項４】
該α，β−ジカルボン酸部分が環状である請求項１〜３のいずれか１項記載のインクジェットプリンターインク。
【請求項５】
該化合物がポリアルケニルコハク酸イミドである請求項１〜４のいずれか１項記載のインクジェットプリンターインク。
【請求項６】
該化合物がポリイソブチレン−無水マレイン酸グラフト物をアミンと反応されて得られるＮ−置換コハク酸イミドである請求項５記載のインクジェットプリンターインク。
【請求項７】
該Ｎ−置換コハク酸イミドが少なくとも１のアミノ窒素原子をもつ請求項６記載のインクジェットプリンターインク。
【請求項８】
該化合物がホウ素を含有する請求項５〜７のいずれか１項記載のインクジェットプリンターインク。
【請求項９】
該化合物を着色剤の５０重量％以下の量で存在する少なくとも１の酸無水物と組合せて使用する請求項１〜８のいずれか１項記載のインクジェットプリンターインク。
【請求項１０】
着色剤が塩基性の反応基をもつ請求項１〜９のいずれか１項記載のインクジェットプリンターインク。
【請求項１１】
着色剤が黒顔料及びシアン顔料から選ばれる請求項１０項記載のインクジェットプリンターインク。
【請求項１２】
分散剤が着色剤の２０〜１５０重量％の量で存在する請求項１〜１１のいずれか１項記載のインクジェットプリンターインク。
【請求項１３】
希釈剤が少なくとも１の極性有機化合物をもつ請求項１〜１２のいずれか１項記載のインクジェットプリンターインク。
【請求項１４】
希釈剤が脂肪酸エステル及び長鎖アルコールから選ばれる少なくとも１の化合物である請求項１３記載のインクジェットプリンターインク。
【発明の詳細な説明】
【０００１】
【発明の属する技術分野】
本発明はインクジェットプリンターインクに関し、特に着色剤を希釈剤に分散させた分散液からなるインクジェットプリンターインクに関する。
【０００２】
【従来の技術とその課題】
インクジェット印刷では、液体インクが圧力下且つしばしば加熱下に印刷ヘッドの極めて小さいノズルに押し込まれる。連続プリンターと称するプリンターの場合には、連続的につくられる個々のインク滴が信号に応答して電荷を受ける帯電域を通って印刷すべき基材に向けられる。次いでインク滴は電界を通り、電価の強さ及び電界に応じた量だけ偏向される。基材上に印刷を形成することを要しないインク滴はバイパスガターに向けられる。これらのプリンターで使用するインクは伝導性であることを要する。
【０００３】
「ドロップオンデマンド（ＤＯＤ）プリンターとして知られているプリンターの場合には印刷プロセス中に必要なときだけインク滴がプリントヘッドのノズルから射出される。ドロップオンデマンドプリンターは圧力インパルス作動で射出される静電気的に加速されたインクジェット又はインク滴シーケンスを用いうる。ＤＯＤプリンターの後者の種類のものでは、たとえばノズルを供給する流路中のインクに作用する圧電アクチュエータを用いたり又は熱パルスに応答して蒸気泡を発生させることによって誘発される圧力パルスを利用して各々のインク滴を独立にノズルから射出させる。
【０００４】
最近のインクジェットプリンター、特にＤＯＤプリンターに用いるに適する分散液形のインクでは多くの基本的な要件に適合する必要がある。インクの保存中又はプリンターのヘッド部にある間に相分離や沈降が起こらないよう安定である必要がある；プリントヘッドから発射するに要するエネルギーが適切であるように十分に低粘度である必要がある；均一サイズの単一液滴の形でプリントヘッドから一貫して発射されうる必要があり、さらに基材上で速かに乾燥して受け入れうる色密度と明瞭な標準的輪郭をもつ印刷点を生ずる必要がある。これらの要件に適合するためにインクは粘度、表面張力及び蒸発速度が所定の制限内にある必要がある。またインクはインクジェットノズルの表面を湿潤化しないことも重要である。これはノズルの度重なる洗浄を必要とし長い印刷操作の害となる。この特性の尺度はインクの減少メニスカス速度（ＲＭＶ）である。
【０００５】
粘度、表面張力、蒸発速度及びＲＭＶの特性はいずれもインク組成物に用いられる希釈剤及び分散剤の一方又は両方の関数である。
【０００６】
分散インクは希釈剤が水性のものと基本的に非水性のものの２つのグループに分けられる傾向にある。水性インクは基本的に無臭だがいくつかの欠点をもっている。特にほとんどの非水性インクに比しそれらの乾燥速度が遅くまた印刷が耐水性ではない傾向がある。非水性インクは一般に速かに乾燥し且つ耐水性の印刷をもたらす。しかし現在までに開発された非水性インク組成物からの印刷は使用者によっては不快な臭気を伴う傾向があった。それ故、インクジェットプリンターインクの要求特性、特に必要な粘度、表面張力、蒸発速度、非湿潤特性及び安定性を維持した上無臭又は実質上無臭の非水性インク組成物が望まれている。維持すべき特性としては特に、ＣＰ  ４／４０測定系でＢｏｈｌｉｎ  ＣＳレオメータを用いて２５℃で測定した粘度が３５ｍＰａ．ｓ以下、より好ましくは１２ｍＰａ．ｓ以下であり、表面張力が２５℃で２２〜３６ｍＮ．ｍ、より好ましくは２４〜３２ｍＮ．ｍであり、沸点が２００℃以上であり、ＷＯ９７／１５６３３に記載される方法で測定したＲＭＶが少なくとも１．０ｍｍ．秒−１、より好ましくは少なくとも１０ｍｍ．秒−１であり、且つ７０℃で６週間エージングした後のインクの粘度変化が５０％以下、好ましくは２０％以下、より好ましくは１０％以下であり、上記のエージングしたインクを含有するガラスビンにヘラを挿入し、ガラスビンの底に沿ってこすり次いで調べるために引く抜いたヘラ上に残ったインク粒子の観察に上記のエージングしたインクの相分離を示す明瞭な結果が認められないような安定性をもつことを挙げることができる。
【０００７】
１９８３年発行のＰｕｇｈ等の「Ｃｏｌｌｏｉｄｓ  ａｎｄ  Ｓｕｒｆａｃｅ」、Ｖｏｌ．７、１８３〜２０７頁には、種々の濃度のポリイソブテンコハク酸イミドを用いドデカン中のファーネスブラックの分散性を試験し、カーボンブラック基準でコハク酸イミド３．５〜４％の濃度にて６ヶ月以上の凝集沈降時間を達成したことが報告されている。
【０００８】
ＷＯ９１／１５４２５には、少なくとも１の長鎖アルキレン又はアルキル基と少なくとも１のアミノ基をもつ少なくとも１の化合物からなる処理剤で処理したカーボンブラックとこの処理したカーボンブラックを含有するインク組成物が開示されている。この処理したカーボンブラックは０．２５〜２０％、好ましくは０．５〜８％の処理剤を含有し、かなりの芳香族含量（８．７％以上）をもつ油にこれらのカーボンブラックを分散させてインクとしている。
どの刊行物もインクジェットインクに関するものではない。
【０００９】
ＷＯ９５／０１４０４には、少なくとも１０9 オームｃｍの電気抵抗をもつ液体と不溶性マーキング粒子と粒子供給剤からなるインクジェットインクが開示されている。このインクはＷＯ９３／１１８６６に記載されているタイプのインクジェットプリンター用に設計されている。このプリンターはインクが連続的にその上を流れる三角形の板を有している。インクに電荷を付与して顔料粒子を帯電させて印刷媒体上に顔料粒子を静電気的に射出し、溶媒の大部分は板上に残る。このプリンターにはノズルプレートがなく、インクが上記の板上を連続的に流れるので、通常のインクジェット印刷に要求されるよりもインクの分散剤要求特性は厳しくない。コハク酸イミドは粒子帯電剤として知られている多くの種類の化合物の１つだがコハク酸イミドが粒子用の分散剤として作用しうることを開示したものはない。
【００１０】
本発明は希釈剤に粒状着色剤と着色剤用分散剤を含有する分散液からなり、該希釈剤の５０容量％以上が白油からなり、少なくとも１の分散剤が少なくとも３６の炭素原子をもつアルキル基又は少なくとも１の不飽和炭素−炭素結合をもつアルケニル基とα，β−ジカルボン酸イミド（Ｎ−置換イミドを含む）をもつ少なくとも１の化合物からなり、且つ該少なくとも１の分散剤が着色剤の少なくとも２０重量％の量で存在し、そして該着色剤がＴｈｅ  Ｃｏｌｏｕｒ  Ｉｎｄｅｘ  に顔染料として挙げられている非カーボンブラック着色剤であることを特徴とする２５℃で１２ｍＰａｓ以下の粘度をもつインクジェットプリンターインクである。
【００１１】
本発明で用いるに適する白油の芳香族含量は５重量％以下である。好ましい白油は芳香族成分を全く又は実質上含有しない。即ち芳香族含量１％以下の白油が好ましい。工業級の白油を用いることができ、医薬及び食品級の白油が好ましい。希釈剤は白油が容量で希釈剤の主要成分を形成し且つ希釈剤が単一相で残る限りは白油に加えて少なくとも１の他の液体成分を含有しうる。それ故、水を存在させる場合も水は希釈剤の他の成分と混和するかそれに溶解しうる量に限られる。白油との組合せで用いうる他の成分の例としては、色、臭気及び／又は安定性を損なわない他の有機液体がある。これらの有機液体を含有させることは本質的なことではないが、場合によっては安定性を高めるために少なくとも１の極性有機溶媒を含有させることが好ましい。これらの好ましい例として液体脂肪酸エステルがある。用いる脂肪酸エステルの量は、その特性、たとえば揮発性によって異なり、また組成物中での他の成分の選択によっても異なるが、通常２０容量％以下であれば受け入れうることが判明した。ある組成物ではより多量でも有用である。
【００１２】
用いうる着色剤の好ましい例としてはカーボンブラック及びＴｈｅ  Ｃｏｌｏｕｒ  Ｉｎｄｅｘに顔染料として挙げられている着色剤がある。
【００１３】
用いうる好ましい顔料の例は次のＣＩ分類をもつ範囲内のものである：
0003837019.tif 000002
【００１４】
好ましい顔料の具体例としてはイルガライトブルーＧＬＶＯ、モナストラルブルーＦＧＸ、イルガライトブルーＧＬＳＭ、イルガライトブルーＧＬＮＦ、ヘリオゲンブルーＬ７１０１Ｆ、ルテチアシアニンＥＮＪ、ヘリオゲンブルーＬ６７００Ｆ、モナストラルグリーンＧＮＸ−Ｃ、モナステラルＧＢＸ、モナステランＧＬＸ、モナステラル６Ｙ、イルガジンＤＰＰオレンジＲＡ、ノバパームオレンジＨ５Ｇ７０、ノブパームオレンジＨＬ、モノライトオレンジ２Ｒ、ノバパームレッドＨＦＧ、ホスタパームオレンジＨＧＬ、パリオゲンオレンジＬ２６４０、シコファストオレンジ２９５３、イルガジンオレンジ３ＧＬ、クロモプタルオレンジＧＰ、ホスタパームオレンジＧＲ、ＰＶカーミンＨＦ４Ｃ、ノバパームレッドＦ３ＲＫ７０、モノライトレッドＢＲ、イルガジンＤＰＰルビンＴＲ、イルガジンＤＰＰスカーレットＢＫ、ＲＴ−３９０−Ｄスカーレット、ＲＴ−２８０Ｄレッド、フォースブライトレッドＪＳＭ、ノバパームレッドＨＦ４Ｂ、ノバパームレッドＨＦ３Ｓ、ノバパームＲＤ  ＨＦ２Ｂ、ビナモンレッド３ＢＦＷ、クロモプタルレッドＧ、ビナモンスカーレット３Ｙ、パリオゲンレッドＬ３５８５、ノバパームレッドＢＬ、パリオゲンレッド３８８０ＨＤ、ホスタパームレッドＰ２ＧＬ、ホスタパームレッドＰ３ＧＬ、ホスタパームレッドＥ５Ｂ０２、シコファストレッドＬ３５５０、サンファストマゼンタ２２、マゼンタＲＴ−２４３−Ｄ、マゼンタＲＴ３５５−Ｄ、レッドＢ  ＲＴ−１９５−Ｄ、シンクアシアマゼンタＲＴ−３５８−Ｄ、モノライトバイオレットＲ、ミクロゾルバイオレットＲ、クロモプザルバイオレットＢ、オラセットピンクＲＦ、ファナルピンクＤ４８３０、イルガライトイエロー２ＧＰ、イルガライトイエローＷＧＰ、ＰＶファストイエローＨＧ、ＰＶファストイエローＨＲ３、ホスタパームイエローＨ６Ｇ、ＰＶファストイエロー、パリオトールイエローＤ１１５５、パリオトールイエローＤ０９６０、ノバパームイエロー４Ｇ及びイルガジンイエロー３Ｒがある。
【００１５】
着色剤の混合物も用いうる。そのなかには染料どうしの混合物、顔料どうしの混合物、１以上の染料と１以上の顔料の混合物も含まれる。
【００１６】
本発明の１の好ましい態様では、着色剤はヘキサクロモ系で最も広範囲の色彩と色調をもたらすように選ばれる。
【００１７】
用いる着色剤の量は用いる着色剤の種類及びそのインクからの印刷に必要な色の強さに依存するが通常はインク組成物の２〜２０重量％、好ましくは４〜１５重量％である。
【００１８】
従来本質的に非水性の希釈剤に着色剤を分散させた系の安定化に用いられている分散剤系はそれらを含有するインクが望ましくない臭気をもつ傾向があるので本発明のインクに用いるには適していない傾向がある。しかし、本発明によれば、少なくとも３６の炭素原子をもつアルキル基又は少なくとも１の不飽和炭素−炭素結合をもつアルケニル基とα，β−ジカルボン酸イミド基をもつ少なくとも１の化合物とを分散剤として用いることによって、この問題を解決できることを見出した。少なくとも３６の炭素原子をもつ少なくとも１の不飽和炭素−炭素結合をもつアルケニル基は、たとえばポリイソブテン、ポリブタジエン又はエチレン／プロピレンコポリマー等のオレフィン又はオレフィン混合物のポリマー又はオリゴマーからなっていてよい。好ましい鎖長はポリオレフィンの性質に依存するポリイソブテンの場合好ましい分子量は７００〜５０００の範囲である。エチレン／プロピレンコポリマーの場合はより大きい分子量が好ましい。
【００１９】
α，β−ジカルボン酸部分とは遊離のα，β−ジカルボン酸及び、その誘導体、たとえばモノ又はジエステル、モノ又はジアミド、無水物又はイミドをいう。１の好ましい態様では、この部分（即ち基）は、たとえばジカルボン酸無水物又はイミド、たとえばコハク酸無水物、コハク酸イミドのように、環状である。この部分は長鎖脂肪族基に直接結合していてもまた中間の原子又は基を介して結合していてもよい。これらの部分をもつ化合物は、たとえばα，β−エチレン性不飽和ジカルボン酸又はその誘導体、たとえば無水マレイン酸、を所望の鎖長をもつオレフィンのホモ又はコポリマーにグラフトすることによってつくることができる。
【００２０】
１の好ましい態様では、この化合物は、ポリアルケニルコハク酸イミド等の長鎖アルキル又はアルケニルイミドから選ばれる。これらの化合物はたとえばα，β−エチレン性不飽和ジカルボン酸無水物、典型的には無水マレイン酸、をポリオレフィン、たとえばポリイソブチレン又はエチレン／プロピレンコポリマーにグラフトし、生成物をモノ又はポリアミンと反応させてＮ−置換コハク酸イミドを生成させることによって得ることができる。少なくとも１のアミノ窒素含有化合物が特に好ましいことが判明した。好ましい化合物の具体例としては、Ｃｈｅｖｌｏｎから商品名ＯＬＯＡ、たとえばＯＬＯＡ  １２００、として市販されているもの、Ｓｈｅｌｌから商品名ＳＰＡ、たとえばＳＰＡ  ２２０ＴＰ、ＳＰＡ  ２３０ＴＰ及びＳＰＡ  ２８５として市販されているもの、Ｌｕｂｒｉｚｏｌからコード番号２１５３及び２１５５として市販されているもの、及びＥｘｘｏｎから商標名Ｐａｒａｎｏｘ、たとえばＰａｒａｎｏｘ  １０５、として市販されているものがある。
【００２１】
アミノ基をもつ化合物は臭気をもちまた一般に多くの人にとって望ましくないとされる臭気を示す傾向があることが知られていながら、分散剤としてこれらの化合物を用いた本発明のインクは意外にも実質上無臭であることが判った。
【００２２】
別の好ましい態様におけるα，β−ジカルボン酸部分はたとえばコハク酸エステル等のエステルである。好ましいエステルはエチレングリコール及びプロピレングリコール等の２価のアルコールやペンタエリスリトール等の３価以上のアルコールを包含する多価アルコールである。好ましいエステルの具体例はＳｈｅｌｌから市販されているＳＰＡ  ２１０である。
【００２３】
更に別の好ましい態様におけるα，β−ジカルボン酸部分は、たとえばポリイソブテン、無水コハク酸におけるような酸無水物である。これらの化合物は、たとえば無水マレイン酸等のα，β−エチレン性不飽和ジカルボン酸無水物を、たとえばポリイソブチレン、ポリブタジエン又はエチレン／プロピレンコポリマー等のポリオレフィンにグラフトすることによって得ることができる。グラフト生成物はポリオレフィン主鎖に結合した１又は２以上の酸無水物基を有しうる。好ましい化合物の具体例としてはＲｅｖｅｒｔｅｘ  Ｃｈｅｍｉｃａｌｓから市販されているＬｉｔｈｅｎｅ  Ｎ４−５０００−３がある。
【００２４】
長鎖脂肪族基と少なくとも１のα，β−ジカルボン酸部分とをもつ１以上の化合物が分散剤として用いられる。１の好ましい態様では、多くの黒及びシアン顔料の場合のように、着色剤が塩基性反応性基をもつ化合物を含むことが好ましく、また分散剤が少なくとも１のイミド基と少なくとも１の酸無水物基をもつことがインク組成物の安定性を高めることから好ましい。
【００２５】
本発明のさらに別の好ましい態様では、少なくとも１の上記分散剤化合物、好ましくはα，β−ジカルボン酸部分がイミドであるものであって、ホウ素を含有するものがホウ素がインクの安定性とＲＭＶの１又は両方を改良することから、好ましい。これらの好ましい具体例はＥｘｘｏｎから市販されているＰａｒａｎｏｘ  １０６及びＲａｒａｎｏｘ  １２７３がある。ホウ素含有物質の使用は、着色剤が、多くの黒及びシアン顔料にみられるように、塩基性反応性基をもつ場合特に有効である。
【００２６】
上記した分散剤のなかでも用いる着色剤との組合せによってその効果に差が出ることが判った。希釈剤の組成の変更も、安定性等のインクの１以上の性質に影響する。それ故分散剤の性状及び／又は濃度の調節が必要となりうる。
【００２７】
必要な分散剤の量は用いる分散剤と着色剤に依存する。しかし前記したＰｕｇｈ等の文献からの予測と異なり、着色剤重量基準で２０％以下の分散剤では本発明の組成物を安定化するのは困難ないし不可能である。好ましくは着色剤の重量基準で２０〜１５０％、より好ましくは４０〜１００％用いられる。
【００２８】
本発明のインク組成物の安定性は多くの場合着色剤の性能に依存しまた安定性もこれらの多くの場合さらなる分散剤及び／又は相乗剤の添加によって増加する。前記のテストで７０℃で少なくとも１２週間後に粘度上昇が５０％以下で且つ明瞭な相分離が認められない程度に組成物が安定であることが好ましい。
【００２９】
希釈剤、分散剤及び着色剤に加えて、インクジェットインク分散組成物に通常加えられる他の成分、たとえば分散相乗剤、粘度変性剤、も本発明の組成物に含有させうる。これら分散相乗剤の具体例としてはＺｅｎｅｃａ  Ｃｏｌｏｕｒｓから商標名Ｓｏｌｓｐｅｒｓｅとして市販されているものがある。粘度変性剤の具体例としてはＡｍｏｃｏから市販されているポリイソブチレンのＩｎｄｏｐｏｌ  Ｌ−１００及びＣｒｏｄａから市販されているオレイルアルコールのＮｏｖｏｌ等の長鎖アルキルアルコールがある。
【００３０】
【実施例】
本発明の実施例を示すが本発明はこれらに限定されるものではない。特に断りのない限り部は重量基準で示す。これらの例に記載したインクは次のようにしてつくった。分散剤、顔料及び少量の希釈剤から初期分散液をつくり、これにさらなる希釈剤を加えて所望の顔料濃度に調節する。次の例に記載したインク組成物はいずれも２５℃の粘度が３５ｍＰａ．ｓ以下、沸点が２００℃以上、ＲＭＶが１．０ｍｍ．秒-1以上であり、ＥＰ−Ａ０２７７７０３及びＥＰ−Ａ−０２７８５９０に記載されているタイプの１２８流路をもつドロップオンデマンド圧電インクジェットプリントヘッドから容易に射出でき紙表面を変性する必要なしに無地の紙に良好な色密度の明確な印刷をもたらした。これらのインクからの印刷には認知しうる臭気はなかった。
【００３２】
例１−３：
次の組成の３つのインクをつくった：
【００３３】
【表１】
0003837019.tif 000003
【００３４】
エスチゾル３１２は英国バーネットのＨａｌｔｅｒｍａｎｎ社から市販されている飽和ココナッツ脂肪酸エステル混合物である。
３つのインク組成物はいずれも７０℃で少なくとも６週間後も安定であった。
【００３６】
例４：
次の組成をもつインクをつくった（重量部で示す）：
イルガライトブルーＧＬＶＯ            ５
ソルスパース５０００                  ０．５
ＯＬＯＡ  １２００                    ２．９
リゼンＮ４−５０００−３．５ＭＡ      ０．８
リトール                              ９０．８
ソルスパース５０００はＺｅｎｅｃａ  Ｃｏｌｏｕｒｓから市販されている置換アンモニウムフタロシアニンタイプの分散相乗剤である。
このインクは７０℃で６週間後も粘度の大きな変化はなかった。リゼンの量を２倍の１．６部にした時にはリゼンを０．８部用いたときの改良をしのぐ大きな改良は認められなかった。
【００３９】
例５−２２：
本発明のインクジェットプリンターインクのさらなる例として次の組成物をつくった。
略号は次のとおりである：
分散剤：
Ａ  ＝  ＯＬＯＡ  １２００
Ｂ  ＝  リゼンＮ４５０００−３．５ＭＡ
Ｃ  ＝  ルブリゾール２１５３
Ｄ  ＝  ルブリゾール２１５５
Ｅ  ＝  ＳＡＰ  ２１０
Ｆ  ＝  ＳＡＰ  ２８５
Ｇ  ＝  パラノックス１０６
Ｈ  ＝  パラノックス１２７３
Ｊ  ＝  パラノックス１０５
分散相乗剤：
Ｋ  ＝  ソルスパース５０００
Ｌ  ＝  ソルスパース２２０００
Ｍ  ＝  ＯＬＯＡ  ２１９
【００４０】
【表２】
0003837019.tif 000004
【００４１】
【表３】
0003837019.tif 000005
【００４２】
【表４】
0003837019.tif 000006
【００４３】
【表５】
0003837019.tif 000007
【００４４】
【表６】
0003837019.tif 000008
【００４５】
【表７】
0003837019.tif 000009
【００４６】
パラノックス１０６はＥｘｘｏｎから市販されているホウ素化したポリイソブチレンコハク酸イミドである。
パラノックス１０５及びパラノックス１２７３はＥｘｘｏｎから市販されているポリイソブチレンコハク酸イミド分散剤である。
ルブリゾール２１５３及びルブリゾール２１５５はＬｕｂｒｉｚｏｌから市販されているポリイソブチレンコハク酸イミド分散剤である。
【００４７】
ＳＡＰ  ２１０はＳｈｅｌｌから市販されている多価アルコールの長鎖脂肪族−置換コハク酸エステルである。
ＳＡＰ  ２８５はＳｈｅｌｌから市販されている塩素化ポリイソブチレンビスコハク酸イミド分散剤である。
ソルスパース５０００及びソルスパース２２０００はＺｅｎｅｃａ  Ｃｏｌｏｕｒｓから市販されている分散相乗剤である。
【００４８】
ウラバーＦＮＳはオランダのＤＳＭから市販されているアルキル置換ノボラックである。
ノボルはＣｒｏｄａから市販されているオレイルアルコールである。
インドポールＬ−１００はＡｍｏｃｏから市販されているポリイソブチレン粘度変性剤である。
【００４９】
例２３：
次の組成をもつ本発明のインクをつくった：
フォースブライトレッドＪＳＭ          ５部
パラノックス１０６                    １．２５部
リトール                              ９３．７５部
パラノックス１０６の濃度を０．７４部にへらしまたリトールの濃度を９４．２６部に増やして実験を繰返したところ安定な分散液をうることはできなかった。